(57)【特許請求の範囲】
【請求項１】
枠形状に配設された軸組の内周側に、該枠形状に略合致する形状の面材が面材取付金具を介して固定された耐力壁の構造であって、
前記面材取付金具は、前記軸組の内周面に固定される軸組固定部と、該軸組固定部に対して直角に形成された面材固定部と、前記面材の縁端部を係止して該面材の壁面方向への移動を拘束する面材拘束部と、を備え、
前記面材取付金具の軸組固定部が前記軸組の内周面に固定具により固定され、
前記面材が、前記面材取付金具の面材拘束部によって形成される枠に嵌合されつつ、前記面材固定部に固定具により固定されたことを特徴とする耐力壁の構造。
【請求項２】
前記面材は、パンチングメタルであることを特徴とする請求項１記載の耐力壁の構造。
【請求項３】
枠形状に配設された軸組に外壁パネルが固定されてなる外壁部を耐力壁にする耐力壁の組込工法であって、
既設の外壁パネルを前記軸組から取り外す外壁パネル取り外し工程と、
前記軸組の内周面に固定される軸組固定部と、該軸組固定部に対して直角に形成された面材固定部と、を備えた面材取付金具を、前記軸組の内周面に固定具により固定する面材取付金具取付工程と、
前記面材を前記軸組の内周側に嵌合しつつ、前記面材取付金具の面材固定部に固定具により固定する面材取付工程と、
外壁パネル取り外し工程において取り外した既設の外壁パネルを前記軸組に再び取付る外壁パネル復帰工程と、を含むことを特徴とする耐力壁の組込工法。
【請求項４】
枠形状に配設された軸組に外壁パネルが固定されてなる外壁部を耐力壁にする耐力壁の組込工法であって、
既設の外壁パネルを前記軸組から取り外す外壁パネル取り外し工程と、
前記軸組の内周面に固定される軸組固定部と、該軸組固定部に対して直角に形成された面材固定部と、前記面材の縁端部を係止して該面材の壁面方向への移動を拘束する面材拘束部と、を備えた面材取付金具を、前記軸組の内周面に固定具により固定する面材取付金具取付工程と、
前記面材を前記面材取付金具の面材拘束部によって形成される枠に嵌合しつつ、前記面材取付金具の面材固定部に固定具により固定する面材取付工程と、
外壁パネル取り外し工程において取り外した既設の外壁パネルを前記軸組に再び取付る外壁パネル復帰工程と、を含むことを特徴とする耐力壁の組込工法。
【請求項５】
前記面材は、パンチングメタルであることを特徴とする請求項３又は４記載の耐力壁の組込工法。
【発明の詳細な説明】
【０００１】
【発明の属する技術分野】
本発明は、住宅の増築工事に際して、非耐力壁を耐力壁にするための耐力壁の組込工法、及び増築工事と新築工事の双方において採用される耐力壁の構造に関する。
【０００２】
【従来の技術】
住宅の増築工事に際しては、住宅の構造上、既存建築部の非耐力壁を耐力壁に改造して、所定の場所に耐力壁を設けなければならない場合がある。この場合の施工法としては、既存の一般軸（軸組）を取り外して、その壁部全体を耐力壁にそっくり入れ替える工法や、既存の一般軸はそのままにして、その軸が形成する枠の四隅にブレースを溶接にて追加することにより、耐力壁を構成する工法がある。
【０００３】
【発明が解決しようとする課題】
ところが、既存の一般軸を取り外して、その壁部全体を耐力壁にそっくり入れ替える工法は、既存の軸組を切断したり、新たな軸組を組み込んだりするため、時間と労力を要するものであった。加えて、切断した軸組の断片や取り替えによって生じた不要な軸組が産業廃棄物となり、この廃棄物の処理に別途費用が発生するという問題もあった。
【０００４】
また、既存の一般軸はそのままにして、その軸が形成する枠の四隅にブレースを溶接にて追加する工法にあっては、溶接の有資格者でないと施工を行うことができないという問題が生じ、さらに有資格者であっても現場溶接は信頼性が低くく、施工の確実性に問題がある。さらに、住宅施工現場では、引火し易い材料や廃材等が散乱していることが多く、施工時の火花により火災を引き起こす危険性があり、さらには現場作業者に余計な気遣いをさせて作業能率を低下させるという問題も生じる。
【０００５】
本発明は、かかる問題を解決するためになされたものであり、軸組を切断せず、軸組を取り替えず、かつ、産業廃棄物となる軸組の切断片等を発生させずに、非耐力壁を耐力壁にする耐力壁の組込工法及びその耐力壁の構造を提供することを目的とする。
【０００６】
【課題を解決するための手段】
上記目的を達成するために、請求項１記載の耐力壁の構造は、枠形状に配設された軸組の内周側に、該枠形状に略合致する形状の面材が面材取付金具を介して固定された耐力壁の構造であって、前記面材取付金具は、前記軸組の内周面に固定される軸組固定部と、該軸組固定部に対して直角に形成された面材固定部と、前記面材の縁端部を係止して該面材の壁面方向への移動を拘束する面材拘束部と、を備え、前記面材取付金具の軸組固定部が前記軸組の内周面に固定具により固定され、前記面材が、前記面材取付金具の面材拘束部によって形成される枠に嵌合されつつ、前記面材固定部に固定具により固定されたことを特徴としている。
【０００７】
請求項２記載の耐力壁の構造は、請求項１記載の耐力壁の構造において、前記面材は、パンチングメタルであることを特徴としている。
【０００８】
請求項３記載の耐力壁の組込工法は、枠形状に配設された軸組に外壁パネルが固定されてなる外壁部を耐力壁にする耐力壁の組込工法であって、既設の外壁パネルを前記軸組から取り外す外壁パネル取り外し工程と、前記軸組の内周面に固定される軸組固定部と、該軸組固定部に対して直角に形成された面材固定部と、を備えた面材取付金具を、前記軸組の内周面に固定具により固定する面材取付金具取付工程と、前記面材を前記軸組の内周側に嵌合しつつ、前記面材取付金具の面材固定部に固定具により固定する面材取付工程と、外壁パネル取り外し工程において取り外した既設の外壁パネルを前記軸組に再び取付る外壁パネル復帰工程と、を含むことを特徴としている。
【０００９】
請求項４記載の耐力壁の組込工法は、枠形状に配設された軸組に外壁パネルが固定されてなる外壁部を耐力壁にする耐力壁の組込工法であって、既設の外壁パネルを前記軸組から取り外す外壁パネル取り外し工程と、前記軸組の内周面に固定される軸組固定部と、該軸組固定部に対して直角に形成された面材固定部と、前記面材の縁端部を係止して該面材の壁面方向への移動を拘束する面材拘束部と、を備えた面材取付金具を、前記軸組の内周面に固定具により固定する面材取付金具取付工程と、前記面材を前記面材取付金具の面材拘束部によって形成される枠に嵌合しつつ、前記面材取付金具の面材固定部に固定具により固定する面材取付工程と、外壁パネル取り外し工程において取り外した既設の外壁パネルを前記軸組に再び取付る外壁パネル復帰工程と、を含むことを特徴としている。
【００１０】
請求項５記載の耐力壁の組込工法は、請求項３又は４記載の耐力壁の組込工法において、前記面材は、パンチングメタルであることを特徴としている。
【００１２】
【発明の実施の形態】
以下、本発明の実施の形態に係る耐力壁の構造及び耐力壁の組込工法について図面に基づき説明する。図１及び図２に示すように、本発明の実施の形態に係る耐力壁の構造Ａは、枠形状に配設されたリップ溝形鋼からなる軸組１に外壁パネルが固定されてなる外壁部Ｘにおける耐力壁の構造であって、枠形状に配設された軸組１の内周側に、該枠形状に略合致する形状の２枚の面材２が面材取付金具３を介して固定され、該面材２上から、外壁パネル６が前記軸組１に取付られたものである。
【００１３】
図３に示すように、前記面材取付金具３は、軸組１の内周面１ａに固定される軸組固定部３ａと、該軸組固定部３ａの両側部から該軸組固定部３ａに対して直角に形成された長さの異なる２つの面材固定部３ｂと、前記面材固定部３ｂのうち長い方に形成された凸条であって、面材取付状態において、面材２の縁端部を係止して該面材２の壁面方向への移動を拘束する面材拘束部３ｃとを有し、さらに前記軸組固定部３ａには前記軸組１とボルト締結するためのボルト孔３ｄが、前記面材固定部３ｂには前記面材２とボルト締結するためにボルト孔３ｅが複数穿設され、これらボルト孔３ｅの面材２取付面と反対側にはナット４ｂが溶接により固着されている。
【００１４】
耐力壁の構造Ａの中に設けられた前記面材取付金具３は、図２に示すように、軸組１の枠サイズに応じて適切な長さのものが使用され、面材取付等の作業を行う側、つまり戸外側に前記面材固定部３ｂのうち短い方を配置して軸組１の内周面に沿って固定具４ａ、４ｂによって固定されている。
【００１５】
前記面材２としては、前述したように、軸組１によって形成される枠形状に合致する形状のもの、例えば、その枠形状が矩形であれば、図示するような矩形の面材２であって周縁部にボルト取付孔２ａが所定間隔をおいて多数穿設されたものが使用される。該面材２の材料としては、建築構造上必要な強度を確保すると共に同外形のものと比較して軽量であるパンチングメタルが使用されている。該面材２の取付状態は、２枚の面材２のうち、戸外側に配置された面材２Ａは、軸組１の内周側に嵌合されつつ、前記面材取付金具３の面材固定部３ｂに固定具４ａ、４ｂにより固定され、室内側に配置された面材２Ｂは、前記面材拘束部３ｃにより形成される枠に嵌合されつつ、前記面材取付金具３の面材固定部３ｂに固定具４ａ、４ｂにより固定されている。なお、面材２は前記パンチングメタルに限定されず、建築構造上必要な強度を有するものであればよい。例えば、パンチングメタルが有する多数孔のない単なる板材やメッシュ材などでもよい。
【００１６】
前記軸組１と前記面材取付金具３、及び前記面材取付金具３と前記面材を固定する固定具としては、前記ボルト４ａとナット４ｂを用いることができるが、十分な強度を有する固定具であればビス、リベット、その他のものであってもよい。
【００１７】
前記外壁パネル６として、断面コの字形材で矩形に形成された枠体７と、該枠体７に固定された外壁ボード８と、前記枠体７の内側に配設された断熱材９とからなるものを図示しているが、外壁パネル６は、この仕様のものに限定される必要はなく、他の種類の外壁パネルであってもよい。
【００１８】
つぎに、上記耐力壁を非耐力壁に組み込む耐力壁の組込工法について説明する。まず、最初に、図４に示すように、耐力壁を組み込むべき外壁部Ｘにおいて、既設の外壁パネル６を軸組１から取り外して、該軸組１を戸外側に露出させる（外壁パネル取り外し工程）。
【００１９】
次に、前記軸組１の長さに対応する面材取付金具３を夫々軸組１の内周面１ａ、厳密にはリップ溝形鋼のウエブ面１ａに、ボルト４ａ及びナット４ｂを用いて固定する（面材取付金具取付工程）。これらボルト４ａ及びナット４ｂは、工数削減のため軸組同士或いは軸組と基礎を締結しているものを流用することが好ましいが、適切な位置にボルト等が予め設けられていない場合は、軸組同士に貫通孔を穿設してボルト４ａ及びナット４ｂを取り付け、或いは基礎上の軸組１においては、基礎にアンカーボルト等を設けて、基礎と該基礎上の軸組１とを締結する。
【００２０】
そして、図５に示すように、まず先に、室内側へ配置すべき面材２Ｂを、前記面材拘束部３ｃが形成する枠に嵌合しつつ、その周縁部においてボルト４ａ及び面材固定部３ｂの裏面に固着されたナット４ｂを用いて該面材固定部３ｂに固定し、つぎに戸外側へ配置すべき面材２Ａを軸組１の内周側に嵌合しつつ、その周縁部においてボルト４ａ及び面材固定部３ｂの裏面に固着されたナット４ｂを用いて該面材固定部３ｂに固定する（面材取付工程）。なお、前記面材２にはパンチングメタルが使用されているので、多数の孔が穿設されていない単なる面材と比較して、該面材２の取付作業を行う作業者の負荷が軽減される。
【００２１】
最後に、図６に示すように、前述した外壁パネル取り外し工程において取り外した既設の外壁パネル６を所定の取付金具１１を用いて再び軸組１に取付け、耐力壁の組込施工が完了する（外壁パネル復帰工程）。
【００２２】
なお、上記した発明の実施の形態においては、前記面材２は１つの枠に２枚ずつ設けたが、該面材２の枚数や、厚さ等は、建築構造上必要とされる強度に応じて決定することができる。すなわち、高い強度が必要な場合は厚い面材２を２枚取付け、あまり強度が必要でない場合は、薄い面材２を使用したり、取り付ける面材２を１枚とすることにより必要な強度を適宜確保することができる。また、前記面材取付金具３は、２つの面材固定部３ｂを有し、その一方に面材拘束部３ｃが設けられたものであるが、これは、軸組としてのリップ溝形鋼のリブとの位置関係を考慮したものである。したがって、前記のように面材２の壁面方向の移動を拘束させるための拘束体として、リップ溝形鋼のリブ１ｂを利用できる場合は、室内側の面材固定部３ｂにのみ面材拘束部３ｃを設ければよいが、例えば前記リブ１ｂ同士の離間距離が大きく、リブ１ｂを前記拘束体として利用することができない場合などにおいては、双方の面材固定部３ｂに面材拘束部３ｃを設けたものを使用する。
【００２３】
また、軸組１としてリップ溝形鋼を使用したものについて上記に説明したが、軸組１の形状はこれに限定されず、例えば図７に示すように、断面矩形の木材軸組１Ａ等からなる外壁部Ｙであっても、双方の面材固定部３ｂに面材拘束部３ｃを設けた面材取付金具３Ａを使用することにより、同様にして耐力壁の構造Ｂを形成することができる。
【００２４】
以上説明した耐力壁の構造は、増築工事に限らず、新築工事においても採用することができる。また、本実施の形態においては、外壁部における耐力壁の組込工法及び耐力壁の構造について説明したが、枠形状に配設された軸組に壁パネルが固定されてなる界壁、間仕切壁等においても同様にかかる耐力壁を設けることができる。
【００２５】
【発明の効果】
請求項１記載の耐力壁の構造は、枠形状に配設された軸組の内周側に、該枠形状に略合致する形状の面材が面材取付金具を介して固定された耐力壁の構造であって、前記面材取付金具は、前記軸組の内周面に固定される軸組固定部と、該軸組固定部に対して直角に形成された面材固定部と、前記面材の縁端部を係止して該面材の壁面方向への移動を拘束する面材拘束部と、を備え、前記面材取付金具の軸組固定部が前記軸組の内周面に固定具により固定され、前記面材が、前記面材取付金具の面材拘束部によって形成される枠に嵌合されつつ、前記面材固定部に固定具により固定されたものであるので、該耐力壁の構造を設けるに際して、軸組の切断及び取替、並びに溶接施工を必要とせず、一般の作業者が能率よく耐力壁の組込施工を行うことが可能である。加えて、軸組の切断及び取替を要しないことから、産業廃棄物として処理すべき軸組の切断片等が発生せず、産業廃棄物処理コストの低減が図られる。
【００２６】
請求項２記載の耐力壁の構造は、請求項１記載の耐力壁の構造において、前記面材がパンチングメタルであるものであるので、施工に際して作業者の負担を軽減し、施工能率の向上が図られる。
【００２７】
請求項３記載の耐力壁の組込工法は、前記外壁パネル取り外し工程と、前記面材取付金具取付工程と、面材を軸組の内周側に嵌合しつつ、面材固定部に固定具により固定する面材取付工程と、前記外壁パネル復帰工程と、を含む工法であるので、該工法によれば、請求項１記載の耐力壁の構造と同様の効果が得られる。
【００２８】
請求項４記載の耐力壁の組込工法は、前記外壁パネル取り外し工程と、前記面材取付金具取付工程と、面材を面材拘束部によって形成される枠に嵌合しつつ、面材固定部に固定具により固定する面材取付工程と、前記外壁パネル復帰工程と、を含む工法であるので、該工法によれば、請求項１記載の耐力壁の構造と同様の効果が得られる。
【００２９】
請求項５記載の耐力壁の組込工法は、請求項３又は４記載の耐力壁の組込工法において、前記面材がパンチングメタルである工法であるので、施工に際して作業者の負担を軽減し、施工能率の向上が図られる。
【図面の簡単な説明】
【図１】本発明の実施の形態に係る耐力壁及びその周囲の外壁部の構造を示した平面図である。
【図２】本発明の実施の形態に係る耐力壁を設けた外壁を戸外側からみた場合の概略図である。
【図３】面材取付金具を示した斜視図である。
【図４】外壁パネルを取り外して、面材取付金具を取り付ける場合の説明図である。
【図５】面材取付金具に面材を取り付ける場合の説明図である。
【図６】軸組に固定した面材の上から先に取り外した外壁パネルを再び取り付ける場合の説明図である。
【図７】リップ溝形鋼以外の軸組を使用して耐力壁の構造を形成した例を示した平面図である。
【符号の説明】
Ａ、Ｂ  耐力壁の構造
Ｘ、Ｙ  外壁部
１、１Ａ  軸組
１ａ  軸組の内周面
２、２Ａ、２Ｂ  面材
３  面材取付金具
３ａ  軸組固定部
３ｂ  面材固定部
３ｃ  面材拘束部
４ａ、４ｂ  固定具
【図１】
0003926122.tif 000002
【図２】
0003926122.tif 000003
【図３】
0003926122.tif 000004
【図４】
0003926122.tif 000005
【図５】
0003926122.tif 000006
【図６】
0003926122.tif 000007
【図７】
0003926122.tif 000008